(57)【要約】    【構成】  操作キー３４によるメニュー操作によって着信機能がオフされ、発呼機能がオンされると、受信強度アイコンの表示処理，発信処理，着信処理および位置登録処理のうち、着信処理および位置登録処理のみが不能化される。このとき、着信または位置登録のために応答信号がアンテナ１６から出力されることはなく、発呼操作があると、発信処理が行なわれる。    【効果】  電波の発信が制限されている状況でも、操作性が低減されることはない。【選択図】  図１
2005184861.tif 000002
【特許請求の範囲】
【請求項１】
基地局から第１信号を受信したとき応答信号を出力して前記基地局と通信プロトコルを確立する第１確立手段、
操作キーによって発呼操作が行なわれたとき接続要求信号を出力して前記基地局と前記通信プロトコルを確立する第２確立手段、
基地局からのエリア情報が一致しないときに位置登録処理を行う手段と、
前記基地局からの受信信号レベルに対応する受信強度アイコンを表示する表示手段を備え、
使用者の操作により所定モードが選択されたとき、位置登録処理を行わないことを特徴とする携帯通信端末。
【請求項２】
基地局から第１信号を受信したとき応答信号を出力して前記基地局と通信プロトコルを確立する第１確立手段、
操作キーによって発呼操作が行なわれたとき接続要求信号を出力して前記基地局と前記通信プロトコルを確立する第２確立手段、
基地局からのエリア情報が一致しないときに位置登録処理を行う手段と、
前記基地局からの受信信号レベルに対応する受信強度アイコンを表示する表示手段を備え、
使用者の操作により所定モードが選択されたときに、位置登録処理を行わないこと特徴とし、その後、使用者のダイヤル操作を行うことで発呼処理が行えることを特徴とする携帯通信端末。
【請求項３】
基地局から第１信号を受信したとき応答信号を出力して前記基地局と通信プロトコルを確立する第１確立手段と、
操作キーによって発呼操作が行なわれたとき接続要求信号を出力して前記基地局と前記通信プロトコルを確立する第２確立手段と、
前記基地局からの受信信号レベルに対応する受信強度アイコンを表示する表示手段を備え、
使用者の操作により所定モードが選択されたとき、着信処理を不能化するとともに、使用者のダイヤル操作に基づく発呼処理が行えることを特徴とする携帯通信端末。
【請求項４】
基地局から第１信号を受信したとき応答信号を出力して前記基地局と通信プロトコルを確立する第１確立手段と、
操作キーによって発呼操作が行なわれたとき接続要求信号を出力して前記基地局と前記通信プロトコルを確立する第２確立手段と、
前記基地局からの受信信号レベルに対応する受信強度アイコンを表示する表示手段を備え、
使用者の操作により所定モードが選択されたとき、前記第１確立手段による着信処理を不能化するとともに、前記第２確立手段による使用者のダイヤル操作に基づく発呼処理が行えることを特徴とする携帯通信端末。
【請求項５】
基地局からのエリア情報が一致しないときに、基地局に信号を出力し、位置登録処理を行う第１手段と、
基地局から信号を受信したとき、応答信号を出力して着信処理を行う第２手段と、
前記基地局からの受信レベルに対応する受信強度アイコンを表示する表示手段を備え、
使用者の操作により所定モードが選択されたとき、前記第１手段による位置登録処理を不能化するとともに、前記第２手段による着信処理を不能化し、使用者のダイヤル操作が判断されると、発呼処理が行えることを特徴とする携帯通信端末。
【請求項６】
基地局からのエリア情報が一致しないときに、基地局に信号を出力し、位置登録処理を行う第１手段と、
基地局から信号を受信したとき、応答信号を出力して着信処理を行う第２手段と、
前記基地局からの受信レベルに対応する受信強度アイコンを表示する表示手段を備え、
使用者の操作により所定モードが選択されたとき、前記第１手段による位置登録処理を不能化するとともに、前記第２手段による着信処理を不能化することを特徴とする携帯通信端末。
【発明の詳細な説明】
【技術分野】
【０００１】
この発明は、携帯通信端末に関し、特にたとえばＰＨＳ（Personal Handy phone System）に適用され、基地局と通信プロトコルを確立して通話を行なう、携帯通信端末に関する。
【背景技術】
【０００２】
最近の報告によれば、心臓ペースメーカを埋め込んだ患者が近くに存在する状況で携帯通信端末から電波が発信されると、この電波によって心臓ペースメーカが誤動作してしまい、患者に悪影響を与えてしまうと言われている。このため、最近は、病院や満員電車の中での携帯通信端末の使用が制限される傾向にある。一方、携帯通信端末の電源を完全にオフにすると、メールの作成や電話帳編集のような電波の発信を伴わない機能の使用も制限され、使い勝手が悪くなる。
【０００３】
このような問題を考慮して、最近では、特定モードが設定されたときに通信機能だけをオフし、電波の発信を伴わない機能の使用を可能にした携帯通信端末が登場している。
【特許文献１】特開平１１−２２５３７８号公報  [Ｈ04Ｑ7/38]
【発明の開示】
【発明が解決しようとする課題】
【０００４】
しかし、通信機能をオフすると電波の受信状態を検出することができないため、周囲の状況を見て通話をしたいような場合に使い勝手が悪くなってしまう。たとえば、電車が混雑していない状況で急に電話をかけたい場合は、特定モードを解除して電波の受信強度を確認し、受信強度が十分であればダイヤル操作をするという複数ステップの操作が必要となり、操作性の点で問題がある。一方、特定モードの設定／解除は使用者のモラルに委ねられ、特定モードの設定によるダイヤル操作の制限については実効性に問題がある。
【０００５】
それゆえに、この発明の主たる目的は、電波の発信が制限されている状況でも操作性の低減を防止することができる、携帯通信端末を提供することである。
【課題を解決するための手段】
【０００６】
この発明は、使用者の操作により所定モードが設定されると、位置登録処理と着信処理を行わず、案手からの信号を出力しないようにすることを特徴とする携帯通信端末である。  
【発明の効果】
【０００７】
この発明によれば、電波の発信が制限されている状況でも操作性の低減を防止することができる。  
【０００８】
この発明の上述の目的，その他の目的，特徴および利点は、図面を参照して行う以下の実施例の詳細な説明から一層明らかとなろう。
【発明を実施するための最良の形態】
【０００９】
この発明は、基地局から第１信号を受信したとき応答信号を出力して前記基地局と通信プロトコルを確立する第１確立手段、操作キーによって発呼操作が行なわれたとき接続要求信号を出力して前記基地局と前記通信プロトコルを確立する第２確立手段、基地局からのエリア情報が一致しないときに位置登録処理を行う手段と、前記基地局からの受信信号レベルに対応する受信強度アイコンを表示する表示手段を備え、使用者の操作により所定モードが選択されたとき、位置登録処理を行わないことを特徴とする携帯通信端末である。
【００１０】
また、この発明は、基地局から第１信号を受信したとき応答信号を出力して前記基地局と通信プロトコルを確立する第１確立手段、操作キーによって発呼操作が行なわれたとき接続要求信号を出力して前記基地局と前記通信プロトコルを確立する第２確立手段、基地局からのエリア情報が一致しないときに位置登録処理を行う手段と、前記基地局からの受信信号レベルに対応する受信強度アイコンを表示する表示手段を備え、使用者の操作により所定モードが選択されたときに、位置登録処理を行わないこと特徴とし、その後、使用者のダイヤル操作を行うことで発呼処理が行えることを特徴とする携帯通信端末である。
【００１１】
さらに、この発明は、基地局から第１信号を受信したとき応答信号を出力して前記基地局と通信プロトコルを確立する第１確立手段と、操作キーによって発呼操作が行なわれたとき接続要求信号を出力して前記基地局と前記通信プロトコルを確立する第２確立手段と、前記基地局からの受信信号レベルに対応する受信強度アイコンを表示する表示手段を備え、使用者の操作により所定モードが選択されたとき、着信処理を不能化するとともに、使用者のダイヤル操作に基づく発呼処理が行えることを特徴とする携帯通信端末である。
【００１２】
また、この発明は、基地局から第１信号を受信したとき応答信号を出力して前記基地局と通信プロトコルを確立する第１確立手段と、操作キーによって発呼操作が行なわれたとき接続要求信号を出力して前記基地局と前記通信プロトコルを確立する第２確立手段と、前記基地局からの受信信号レベルに対応する受信強度アイコンを表示する表示手段を備え、使用者の操作により所定モードが選択されたとき、前記第１確立手段による着信処理を不能化するとともに、前記第２確立手段による使用者のダイヤル操作に基づく発呼処理が行えることを特徴とする携帯通信端末である。
【００１３】
また、この発明は、基地局からのエリア情報が一致しないときに、基地局に信号を出力し、位置登録処理を行う第１手段と、基地局から信号を受信したとき、応答信号を出力して着信処理を行う第２手段と、前記基地局からの受信レベルに対応する受信強度アイコンを表示する表示手段を備え、使用者の操作により所定モードが選択されたとき、前記第１手段による位置登録処理を不能化するとともに、前記第２手段による着信処理を不能化し、使用者のダイヤル操作が判断されると、発呼処理が行えることを特徴とする携帯通信端末である。
【００１４】
また、この発明は、基地局からのエリア情報が一致しないときに、基地局に信号を出力し、位置登録処理を行う第１手段と、基地局から信号を受信したとき、応答信号を出力して着信処理を行う第２手段と、前記基地局からの受信レベルに対応する受信強度アイコンを表示する表示手段を備え、使用者の操作により所定モードが選択されたとき、前記第１手段による位置登録処理を不能化するとともに、前記第２手段による着信処理を不能化することを特徴とする携帯通信端末である。
【実施例】
【００１５】
図１を参照して、この実施例の携帯通信端末１０は、ＰＨＳ方式を採用し、電話装置１２および音楽再生装置１４を含む。各々の装置１２および１４はケーブル５４によって接続され、さらに音楽再生装置１４にはイヤフォン５６が接続される。
【００１６】
電話装置１２に設けられた操作キー３４によって着信操作またはダイヤル操作が行なわれると、ＣＰＵ３６は基地局（図示せず）と通信プロトコルを確立する。これによって通話可能状態（オンライン状態）に移行すると、基地局から送信されたＲＦ信号がアンテナ１６によって受信され、受信されたＲＦ信号は、ＲＦ回路１８，モデム２０，ＴＤＭＡ回路２２およびコーデック２４による所定の復調処理を経て、アナログ音声信号に変換される。コーデック２４から出力されたアナログ音声信号は、アンプ２６ｂを経てスピーカ３０から出力される。
【００１７】
一方、マイク２８によって音声が取り込まれると、取り込まれた音声に対応するアナログ音声信号がアンプ２６ａを経てコーデック２４に与えられる。アナログ音声信号は、コーデック２４，ＴＤＭＡ回路２２，モデム２０およびＲＦ回路１８による変調処理を経てＲＦ信号に変換され、変換されたＲＦ信号はアンテナ１６から発信される。なお、ディスプレイ３２は、着信通知やメモリ２８に登録された電話番号の表示に用いられる。
【００１８】
操作キー３４によって音楽再生操作が行なわれると、ＣＰＵ３６から音楽再生装置１４内のＣＰＵ４４に対して再生命令が与えられる。ＣＰＵ４４は、スロット４６に装着されたメモリカード４８から圧縮音楽データを読み出し、読み出した圧縮音楽データをＭＰ３デコーダ５０に与える。圧縮音楽データは、ＭＰ３デコーダ５０によって伸長され、かつアナログ信号に変換される。Ｄ／Ａ変換された伸長音楽信号は、アンプ５２を経てイヤフォン５６から出力される。なお、ディスプレイ４０は再生中の音楽のタイトルの表示に用いられ、操作キー４２は音量調節などに用いられる。なお、圧縮音楽データは、通信回線を通してメモリカード４８にダウンロードされる。
【００１９】
携帯通信端末１０の外観を図２（Ａ）および図２（Ｂ）に示す。図２（Ａ）を参照して、電話装置１２は、ディスプレイ３４およびスピーカ３０が設けられた板状の第１本体１２ａと、操作キー３４およびマイク２８が設けられた板状の第２本体１２ｂとを有する。第１本体１２ａおよび第２本体１２ｂは互いに接する一片において結合され、第１本体１２ａはこの一片を軸として回動する。使用時は、第２本体１２ｂと１５０°程度の角度をなすように第１本体１２ａが開かれるが、不使用時は、図２（Ｂ）に示すように第１本体１２ａが閉じられ、第２本体１２ｂに設けられた操作キー３４は第１本体１２ａによって覆われる。したがって、第１本体１２ａは、不使用時、操作キー３４ａを覆うカバーとして機能する。
【００２０】
操作キー３４としては、ダイヤル操作を行なうためのテンキー３４ａ，発呼を開始するための開始キー３４ｂ，通話を終了するための終了キー３４ｃ，メニューをディスプレイ３２に表示するためのメニューキー３４ｄ，表示されたメニュー上でカーソルを移動させるための十字キー３４ｅ，所望のメニュー項目を選択するための選択キー３４ｆなどがある。
【００２１】
ＣＰＵ３６は、メニュー機能設定を行なうとき図３に示すフロー図を処理し、待ち受け状態のとき図４および図５に示すフロー図を処理する。図３はメニューキー３４ｄの操作に応じて実行される割り込みルーチンであり、図４および図５は定常状態において処理されるメインルーチンである。このため、図３に示す割り込みルーチンの処理が完了すると、図４および図５に示すメインルーチンに復帰する。
【００２２】
まず図３を参照して、ステップＳ１では図６に示すメニュー画面をディスプレイ３２に表示する。図６によれば、“着信オフ機能選択？”のメッセージと“ＹＥＳ”および“ＮＯ”のメニュー項目とが表示され、カーソルはいずれか一方のメニュー項目を指向する。ここで十字キー３４ｅおよび選択キー３４ｆによって“ＮＯ”が選択されると、ステップＳ５で着信オフフラグ３６ａを“０”にセットし、ステップＳ７およびＳ２９で“着信オフ”非表示および着信待ち受け画面表示を行なう。ディスプレイ３２の表示は、図６に示すメニュー画面から図９に示す着信待ち受け画面に更新される。図９によれば、受信感度アイコンIcon1およびバッテリ残量アイコンIcon2が画面上方に表示され、今日の日付および現在時刻が画面中央に表示される。なお、ステップＳ７の処理によって、着信待ち受け画面には図１０に示すような“着信ＯＦＦ”のメッセージは表示されない。
【００２３】
図６に示すメニュー画面において“ＹＥＳ”が選択されると、ステップＳ３でＹＥＳと判断し、ステップＳ９で着信オフフラグ３６ａを“１”にセットするとともに、ステップＳ１１で図７に示すメニュー画面をディスプレイ３２に表示する。図７によれば、“発呼禁止機能選択？”のメッセージと、“ＹＥＳ”および“ＮＯ”のメニュー項目と、いずれか一方のメニュー項目を指向するカーソルとが表示される。ここで“ＹＥＳ”が選択されると、ステップＳ１５で発呼禁止フラグ３６ｂを“１”にセットし、ステップＳ２７およびＳ２９の各々で“着信オフ”表示および着信待ち受け画面表示を行なう。これによって、ディスプレイ３２の表示は、図７から図１０に更新される。図１０によれば、着信待ち受け画面の右下に“着信ＯＦＦ”のメッセージが表示される。
【００２４】
図７に示すメニュー画面において“ＮＯ”が選択されると、ステップＳ１３でＮＯと判断し、ステップＳ１７で発呼禁止フラグ３６ｂをセットするとともに、ステップＳ１９で図８に示すメニュー画面をディスプレイ３２に表示する。図８によれば、“発呼時着信オフ機能解除”のメッセージと“ＹＥＳ”および“ＮＯ”のメニュー項目とが表示され、カーソルはいずれか一方のメニュー項目を指向する。ここで“ＹＥＳ”が選択されたときはステップＳ２３でオフ機能解除フラグ３６ｃを“１”にセットするが、“ＮＯ”が選択されたときはステップＳ２５でオフ機能解除フラグ３６ｃを“０”にセットする。ステップＳ２３またはＳ２５の処理を終えると、ステップＳ２７およびＳ２９で“着信オフ”表示および着信待ち受け画面表示を行なう。ディスプレイ３２の表示は図８から図１０に更新される。
【００２５】
続いて図４および図５を参照して、まずステップＳ３１およびＳ４５の各々で、ＰＣＨ信号の受信の有無およびタイムアウトの発生の有無を判別する。ＰＣＨ信号は、基地局から１．２秒毎に発信される制御チャネル信号である。このＰＣＨ信号を受信したときステップＳ３３でＹＥＳと判断し、たとえば３秒間継続してＰＨＳ信号を受信しなかったときにステップＳ４５でＹＥＳと判断する。ステップＳ３１でＹＥＳと判断されるとステップＳ３３以降の処理に進み、ステップＳ４５でＹＥＳと判断されるとステップＳ４７で受信強度アイコンIcon1に代えて“圏外”を表示してからステップＳ５７に進む。また、ＰＣＨ信号を受信していないが、まだタイムアウトが発生していないときも、ステップＳ４５からステップＳ５７に進む。
【００２６】
ステップＳ３３では受信したＰＣＨ信号のレベルを検出し、続くステップＳ３５では検出したレベルに応じて受信強度アイコンIcon1を更新する。受信強度アイコンIcon1の更新を終えるとステップＳ３７に進み、今回受信したＰＣＨ信号に自分の電話番号が含まれているかどうか判断する。自分の電話番号が含まれているときは、自分に対する着呼であると判断し（ステップＳ３９でＹＥＳと判断）、ステップＳ４９で着信オフフラグ３６ａの状態を判別する。ここで、着信オフフラグが“０”を示していれば、ステップＳ５１およびＳ５３の各々で着信処理および通話処理を行ない、通話終了を待ってステップＳ５５からステップＳ５７に進む。これに対して、着信オフフラグが“１”であれば、ステップＳ５１〜Ｓ５５の処理を行なうことなくステップＳ５７に進む。
【００２７】
受信したＰＣＨ信号に自分の電話番号が含まれていなければ、ステップＳ３７からステップＳ３９に進み、携帯通信端末１０に設定された一斉呼出エリア情報とＰＣＨ信号に含まれる一斉呼出エリア情報とが一致するかどうかを判別する。さらに、この２つの一斉呼出エリア情報が一致しないときは、ステップＳ４１で着信オフフラグ３６ａの状態を判別する。ここで着信オフフラグ３６ａが“０”を示していれば、ステップＳ４３における位置登録処理を経てステップＳ５７に進む。一方、携帯通信端末１０に設定された一斉呼出エリア情報とＰＣＨ信号に含まれる一斉呼出エリア情報とが一致するとき、または着信オフフラグ３６ａが“１”のときは、ステップＳ４３の処理を行なうことなくステップＳ５７に進む。
【００２８】
ステップＳ５７ではダイヤル操作（発呼操作）の有無を判別し、ステップＳ７１では音楽再生／停止操作の有無を判別する。音楽再生／停止操作が行われたときは、ステップＳ７３で音楽再生／停止命令をＣＰＵ４４に与えてからステップＳ３１に戻る。一方、ダイヤル操作が行なわれたときは、ステップＳ５７でＹＥＳと判断し、ステップＳ５９で発呼禁止フラグ３６ｂの状態を判別する。そして、発呼禁止フラグ３６ｂが“１”を示すときはそのままステップＳ３１に戻るが、発呼禁止フラグ３６ｂが“０”を示すときは、ステップＳ６１でオフ機能解除フラグ３６ｃの状態を判別する。オフ機能解除フラグ３６ｃが“０”を示すときはのままステップＳ６５に進み、オフ機能解除フラグ３６ｃが“１”を示すときはステップＳ６３で着信オフフラグ３６ａを“０”に更新してからステップＳ６５に進む。ステップＳ６５では発信処理を行ない、ステップＳ６７では通話処理を行なう。通話が終了するとステップＳ６９でＹＥＳと判断し、ステップＳ３１に戻る。
【００２９】
ステップＳ４３における位置登録処理およびステップＳ５１における着信処理ではアンテナ１６から応答信号（電波）を出力して基地局と通信プロトコルを確立し、ステップＳ６５における発信処理では、アンテナ１６から発呼信号（電波）を出力して基地局と通信プロトコルを確立する。このような応答信号または発呼信号の出力時、心臓ペースメーカを体内に埋め込んだ患者が身近に存在すると、心臓ペースメーカが誤動作する可能性がある。ここで、位置登録処理および着信処理は使用者に意思に関係なく行なわれるが、発信処理は使用者の意思（ダイル操作）によって行なわれる。すると、ダイヤル操作に基づく発呼信号の出力は使用者のモラルによって中止できるが、着信処理については使用者のモラルによって中止できない。
【００３０】
ここで、通信機能を完全にオフすることで発呼信号または応答信号の出力を防止することも可能であるが、そうすると受信強度アイコンIcon1の表示までもオフされるため、周りの状況を見て短時間の通話をしたいような場合に操作性が大きく減じられる。
【００３１】
このため、この実施例では、着信オフ機能のおよび発呼禁止機能の各々について選択／非選択を可能とし、着信オフ機能が選択され、発呼禁止機能が選択されなかったとき（着信機能がオフされ、発信機能がオンされたとき）は、受信強度アイコンIcon1の表示処理，発信処理，着信処理および位置登録処理のうち、着信処理および位置登録処理のみを不能化するようにしている。これによって、ディスプレイ３２には受信強度アイコンIcon1が表示され、ダイヤル操作に対しては発信処理が行なわれる。この結果、急に電話したいときには、受信強度アイコンIcon1によって受信強度を容易に確認でき、受信強度が良好であればダイヤル操作によって相手方と通話をすることができる。
【００３２】
この発明によれば、所定モードが選択されたときも、受信強度アイコンは第２信号の受信レベルに応じて更新され、操作キーによって発呼操作があったときは基地局と通信プロトコルが確立されるため、電波の発信が制限されている状況でも操作性の低減を防止することもできる。
【００３３】
なお、この実施例では、ＰＨＳ方式の携帯通信端末を用いているが、ＰＨＳ方式に代えてＰＤＣ（Personal Digital Cellular）方式やＣＤＭＡ（Code Division Multiple Access）方式を採用してもよい。また、この実施例の携帯通信端末には音楽再生機能が設けられているが、これに代えてあるいはこれに加えて撮影機能を持たせるようにしてもよい。この場合、携帯通信端末にカメラ装置を一体成形したり、別体のカメラ装置を着脱自在に装着することが考えられる。
【図面の簡単な説明】
【００３４】
【図１】この発明の一実施例を示すブロック図である。
【図２】（Ａ）は開状態（使用時）の電話装置を示す斜視図であり、（Ｂ）は閉状態（不使用時）の電話装置を示す斜視図である。
【図３】図１実施例の動作の一部を示すフロー図である。
【図４】図１実施例の動作の他の一部を示すフロー図である。
【図５】図１実施例の動作の他の他の一部を示すフロー図である。
【図６】ディスプレイに表示されるメニュー画面の一例を示す図解図である。
【図７】ディスプレイに表示されるメニュー画面の他の一例を示す図解図である。
【図８】ディスプレイに表示されるメニュー画面のその他の一例を示す図解図である。
【図９】ディスプレイに表示される着信待ち受け画面の一例を示す図解図である。
【図１０】ディスプレイに表示される着信待ち受け画面の他の一例を示す図解図である。
【符号の説明】
【００３５】
１０…携帯通信端末
１２…電話装置
１４…音楽再生装置
１６…ＲＦ回路
１８…モデム
２０…ＴＤＭＡ回路
２２…コーデック
３２，４０…ディスプレイ
３４，４２…操作キー
４４…メモリカード
３６，４４…ＣＰＵ
５０…ＭＰ３デコーダ
５６…イヤフォン
【図１】
2005184861.tif 000003
【図２】
2005184861.tif 000004
【図３】
2005184861.tif 000005
【図４】
2005184861.tif 000006
【図５】
2005184861.tif 000007
【図６】
2005184861.tif 000008
【図７】
2005184861.tif 000009
【図８】
2005184861.tif 000010
【図９】
2005184861.tif 000011
【図１０】
2005184861.tif 000012